(57)【特許請求の範囲】
【請求項１】
表示内容を表示する表示部と、
前記表示部の縁に設けられた枠部と、
前記枠部に設けられ、他の表示装置と電気的に接続する接続部とを備え、
前記接続部が、
前記枠部に沿って延ばされた延在部と、
前記延在部の長手方向又は短手方向に偏心して設けられて、前記枠部の外方に突出する突出部とを備え、
前記突出部が、前記他の表示装置に設けられた他の延在部に当接し、前記延在部が、前記他の表示装置に設けられた他の突出部に当接することを特徴とする表示装置。
【請求項２】
前記延在部が、板状に延ばされて形成され、
前記突出部が、三角形状に突出して弾性変形可能に形成されて、前記延在部の長手方向に偏心して設けられており、
前記枠部の長手方向の一側に偏心して配置された突出部の頂部が、前記他の表示装置に設けられた他の延在部の表面に当接し、前記延在部の表面が、前記他の表示装置に設けられた前記長手方向の他側に偏心して配置された他の突出部の頂部に当接することを特徴とする請求項１に記載の表示装置。
【請求項３】
前記接続部が、制御信号用と接地用とで対をなしており、
これら対をなす接続部が、互いに前記長手方向に配列されており、前記対をなす接続部の突出部がいずれも前記長手方向の一側又は他側に偏心して配置されていることを特徴とする請求項１又は請求項２に記載の表示装置。
【請求項４】
前記枠部が矩形状に形成され、
前記表示部の幅方向の両端に配されて前記表示部の高さ方向に延ばされた前記枠部の二つの短辺部に前記接続部が対向して設けられ、又は、前記高さ方向の両端に配されて前記幅方向に延ばされた前記枠部の二つの長辺部に前記接続部が対向して設けられており、
前記二つの短辺部に配され前記突出部同士、又は前記二つの長辺部に配された前記突出部同士が、前記長手方向の一側と他側とでそれぞれ反対側に配置されていることを特徴とする請求項３に記載の表示装置。
【発明の詳細な説明】
【技術分野】
【０００１】
本発明は、電気的に複数連結されて多画面表示又は大画面表示を行う表示装置に関する。
【背景技術】
【０００２】
近年、表示装置において、軽量化、薄型化及び画面サイズの大型化等が要求されている。その要求を満たす１つの手段として、複数の表示装置を組み合わせて（電気的に接続して）、多画面表示または大画面表示を行う表示装置がある（例えば、特許文献１参照。）。この種の表示装置は、連結される個々の表示装置の数を増減させることにより、全体としての画面サイズを容易に調節することができる。そのため、企業のショールーム等に常設される場合だけでなく、イベント会場などにおいて一時的に設置される場合にも利用される。すなわち、イベント会場等において商品紹介やその他の情報提供を行うために、イベント期間中に設置され、そしてイベント終了とともに撤去されることも多い。
これら個々の表示装置の背面には、取り付け用の金具等が設置されており、組み立て用の架台にそれぞれの表示装置を近接させて取り付け固定し、多画面表示装置として設営される。
【０００３】
このような表示装置では、複数の表示装置全体で一つの画像を表示することが多いため、個々の表示装置の表示する画像の表示特性が同等となるように、表示装置ごとにそれぞれのパラメータを調整する必要がある。具体的には明るさや色温度等を合わせる必要がある。
また、表示装置全体で一つの画像を表示するときには、複数の表示装置に同一の映像信号を供給し、個々の表示装置において、設置場所に応じて映像信号の一部を拡大することも多い。このようにすると、一つの画像を分解して個々の表示装置に分配する機器が不要となる。
さらに、同一の映像信号を供給する場合、個々の表示装置ごとに表示すべき画像の位置や拡大倍率を設定する必要がある。これらの調整のために、ＰＣ(Personal  Computer)等から制御用のケーブルを介して個々の表示装置に調整用データを転送することが行われている。
【０００４】
図１０は、従来の表示装置（モニタ）を示す図であって、複数の表示装置を電気的に接続した様子を示す説明図である。
モニタ１００，２００，３００は、全体動作の制御を行うＣＰＵ１００ａ，２００ａ，３００ａと、シリアル入力端子１００ｂ，２００ｂ，３００ｂと、シリアル出力端子１００ｃ，２００ｃ，３００ｃとを備えている。そして、モニタ１００は、シリアル入力端子１００ｂを介して、ＰＣと接続されている。さらに、モニタ１００とモニタ２００とは、互いのシリアル出力端子１００ｃ及びシリアル入力端子２００ｂを介して接続されている。また、モニタ２００とモニタ３００とは、互いのシリアル出力端子２００ｃ及びシリアル入力端子３００ｂを介して接続されている。すなわち、モニタ１００，２００，３００は、ＰＣに対して縦列接続されている。
【０００５】
このような構成のもと、各モニタ１００，２００，３００のＩＤと対応させた調整用データがＰＣから出力されると、モニタ１００のＣＰＵ１００ａがシリアル入力端子１００ｂを介してその調整用データを取得し、あらかじめ記憶された自己のＩＤと一致した調整用データのみを取り込み、受信完了した旨を自己のＩＤを付してＰＣに返信する。また、モニタ２００のＣＰＵ２００ａは、ＰＣから出力された調整用データを、シリアル入力端子１００ｂ，シリアル出力端子１００ｃ及びシリアル入力端子２００ｂを介して取得する。そして、ＣＰＵ２００ａは、あらかじめ記憶された自己のＩＤと一致した調整用データのみを取り込み、各シリアル入出力端子２００ｂ，１００ｃ，１００ｂを介して、受信完了した旨を自己のＩＤを付してＰＣに返信する。さらに、モニタ３００のＣＰＵ３００ａは、ＰＣから出力された調整用データを、各シリアル入出力端子１００ｂ，１００ｃ，２００ｂ，２００ｃ，３００ｂを介して取得する。そして、ＣＰＵ３００ａは、あらかじめ記憶された自己のＩＤと一致した調整用データのみを取り込み、各シリアル入出力端子３００ｂ，２００ｃ，２００ｂ，１００ｃ，１００ｂを介して、受信完了した旨を自己のＩＤを付してＰＣに返信する。
これにより、一つの映像を三つの画面で表示する際に必要な調整等を行うことができる。
【特許文献１】特開２００４−１７０８７０号公報
【発明の開示】
【発明が解決しようとする課題】
【０００６】
しかしながら、上記のような表示装置では、接続する表示装置の数が増えれば増えるほど、設置作業時における電気的接続のためのケーブル接続やケーブルの取り回し、又は、解体・撤去作業時におけるケーブル解除やケーブルの収納など、各作業負担が増大してしまうというという問題がある。
【０００７】
本発明は、このような事情に鑑みてなされたものであって、迅速かつ容易に、複数を電気的に接続・解除することができる表示装置を提供することを目的とする。
【課題を解決するための手段】
【０００８】
上記課題を解決するために、本発明は以下の手段を提供する。
本発明に係る表示装置は、表示内容を表示する表示部と、前記表示部の縁に設けられた枠部と、前記枠部に設けられ、他の表示装置と電気的に接続する接続部とを備え、前記接続部が、前記枠部に沿って延ばされた延在部と、前記延在部の長手方向又は短手方向に偏心して設けられて、前記枠部の外方に突出する突出部とを備え、前記突出部が、前記他の表示装置に設けられた他の延在部に当接し、前記延在部が、前記他の表示装置に設けられた他の突出部に当接することを特徴とする。
【０００９】
また、本発明に係る表示装置は、前記延在部が、板状に延ばされて形成され、前記突出部が、三角形状に突出して弾性変形可能に形成されて、前記延在部の長手方向に偏心して設けられており、前記枠部の長手方向の一側に偏心して配置された突出部の頂部が、前記他の表示装置に設けられた他の延在部の表面に当接し、前記延在部の表面が、前記他の表示装置に設けられた前記長手方向の他側に偏心して配置された他の突出部の頂部に当接することを特徴とする。
【００１０】
また、本発明に係る表示装置は、前記接続部が、制御信号用と接地用とで対をなしており、これら対をなす接続部が、互いに前記長手方向に配列されており、前記対をなす接続部の突出部がいずれも前記長手方向の一側又は他側に偏心して配置されていることを特徴とする。
【００１１】
また、本発明に係る表示装置は、前記枠部が矩形状に形成され、前記表示部の幅方向の両端に配されて前記表示部の高さ方向に延ばされた前記枠部の二つの短辺部に前記接続部が対向して設けられ、又は、前記高さ方向の両端に配されて前記幅方向に延ばされた前記枠部の二つの長辺部に前記接続部が対向して設けられており、前記二つの短辺部に配され前記突出部同士、又は前記二つの長辺部に配された前記突出部同士が、前記長手方向の一側と他側とでそれぞれ反対側に配置されていることを特徴とする。
【発明の効果】
【００１２】
本発明によれば、迅速かつ容易に、複数を電気的に接続・解除することができる。
【発明を実施するための最良の形態】
【００１３】
（実施形態１）
以下、本発明の実施形態における表示装置について、図面を参照して説明する。
図１は、本発明の実施形態としての表示装置を示したものである。
表示装置１は、文字、図形や動画、静止画などの表示内容を表示する表示部２を備えている。
表示部２は、例えば、液晶やプラズマなどからなり、矩形状に形成されている。表示部２の縁部には、周方向の全周を覆う枠部３が設けられている。
すなわち、枠部３は、矩形環状に形成されている。また、表示部２の背面側には、表示部２の背面全体を覆う本体部（不図示）が設けられている。
本体部の背面には、組み立て用架台に取り付けるための取付部が設けられている。
【００１４】
枠部３のそれぞれの辺部には、内方に矩形状に没する凹部１１が形成されている。凹部１１は、それぞれの辺部に二つずつ形成されている。なお、それぞれの辺部のうち、表示部２の幅方向Ｗの両端に配されて、表示部２の高さ方向Ｈに延びる辺部を短辺部３ｂ１，３ｂ２とし、高さ方向Ｈの両端に配されて、幅方向Ｗに延びる辺部を長辺部３ａ１，３ａ２とする。すなわち、それぞれ対向する２組の辺部のうち、長手寸法の短い組が短辺部３ｂ１，３ｂ２となり、長い組が長辺部３ａ１，３ａ２となる。また、短辺部３ｂ１，３ｂ２における長手方向とは、高さ方向Ｈとなり、長辺部３ａ１，３ａ２における長手方向とは、幅方向Ｗとなる。
【００１５】
そして、短辺部３ｂ１，３ｂ２にそれぞれ二つずつ形成された凹部１１は、幅方向Ｗにおける中心線を挟んで、それぞれが対向配置されている。一方、長辺部３ａ１，３ａ２にそれぞれ二つずつ形成された凹部１１は、高さ方向Ｈにおける中心線を挟んで、それぞれが対向配置されている。
また、それぞれの凹部１１には、図３及び図４に示すように、金属製の接続部４が二つずつ設けられている。
これら二つずつの接続部４は、凹部１１内において、高さ方向Ｈ又は幅方向Ｗに配列されている。すなわち、短辺部３ｂ１，３ｂ２の凹部１１に設置された接続部４は、高さ方向Ｈに配列され、長辺部３ａ１，３ａ２の凹部１１に設置された接続部４は、幅方向Ｗに配列されている。
そして、短辺部３ｂ１，３ｂ２に設けられた接続部４同士は、幅方向Ｗにおける中心線を挟んで対向配置され、長辺部３ａ１，３ａ２に設けられた接続部４同士は、高さ方向Ｈにおける中心線を挟んで対向配置されている。
【００１６】
接続部４は、側面視して三角形状の突出部４ａと、この突出部４ａから高さ方向Ｈ又は幅方向Ｗに延びる板状の延在部４ｂとを備えている。これら突出部４ａと延在部４ｂとは一体に形成されている。
突出部４ａは、板状部材が屈曲して弾性変形可能に形成されている。突出部４ａの先端頂点部４ａ１は、枠部３よりも外方に突出した位置に配置されている。
【００１７】
延在部４ｂは、突出部４ａの先端頂点部４ａ１以外の基端頂点部から延ばされている。すなわち、突出部４ａは、延在部４ｂの長手方向の一端に偏心して設けられている。さらに、短辺部３ｂ１に設けられた接続部４の突出部４ａは、高さ方向Ｈの一側（下側）に偏心されており、短辺部３ｂ２に設けられた接続部４の突出部４ａは、高さ方向Ｈの他側（上側）に偏心されている。また、長辺部３ａ１に設けられた接続部４の突出部４ａは、幅方向Ｗの一側（左側）に偏心されており、長辺部３ａ２に設けられた接続部４の突出部４ａは、幅方向Ｗの他側（右側）に偏心されている。すなわち、互いに対向配置された接続部４同士は、突出部４ａが互いに反対方向に偏心されて配置されている。
また、延在部４ｂの長手方向の他端には貫通孔が形成されており、この貫通孔に固定ねじ１０が通されることにより、延在部４ｂが凹部１１の底面に固定されている。さらに、二つの接続部４のうち一方の接続部４の延在部４ｂは、制御信号用としてバッファＢに接続され、他方の接続部４の延在部４ｂは、接地用として接地されている。
【００１８】
また、図２に示すように、表示装置１は、制御信号及び返答信号の流れを制御するセレクタ６と、このセレクタ６に接続されたＣＰＵ７とを備えている。
セレクタ６は、バッファＢを介して制御信号用のそれぞれの接続部４に接続されている。このセレクタ６は、複数のスイッチ回路等により構成される。
ＣＰＵ７は、２系統のシリアルインターフェースを有している。そして、一方のシリアルインターフェース（ＲｘＤ１，ＴｘＤ１）は、本体部背面に設けられたシリアル入力端子（不図示）に接続され、他方のシリアルインターフェース（ＲｘＤ２，ＴｘＤ２）は、セレクタ６を介して、制御信号用のそれぞれの接続部４に接続されている。
【００１９】
次に、このように構成された本実施形態における表示装置１の作用について説明する。
図９は、複数の表示装置を連結し、多画面表示又は大画面表示として使用する様子を示す説明図である。
なお、同図において、実線の矢印は制御信号の流れる方向を示し、破線の矢印は返答信号の流れる方向を示している。また、表示装置１，１ａ，１ｂ，１ｃは、すべて同一構成を有しているが、互いに異なる表示装置であることを示すため、それぞれ別符号を付している。
まず、それぞれの本体部の背面に設けられた取付部を介して、表示装置１，１ａ，１ｂ，１ｃを組み立て用架台に取り付ける。このとき、互いの短辺部同士及び長辺部同士を近接させてそれぞれの表示装置１，１ａ，１ｂ，１ｃを固定する。
これにより、後述するように、表示装置１，１ａ，１ｂ，１ｃが互いに電気的に接続される。
【００２０】
さらに、表示内容を送信するＰＣ(Personal  Computer)と、表示装置１とをシリアルケーブルによって接続する。すなわち、ＰＣから延ばされたシリアルケーブルを、表示装置１の背面に設けられたシリアル入力端子に接続する。
そして、ＰＣから制御信号が出力されると、表示装置１のＣＰＵ７は、シリアル入力端子を介して制御信号を受信する。そして、表示装置１のＣＰＵ７は、自身のＩＤを含む制御信号である場合には、その制御信号の内容を実行するとともに、他方のシリアルインターフェースの送信ラインＴｘＤ２へ、受信した制御信号をそのまま出力する。また、表示装置１のＣＰＵ７は、シリアル入力端子を介して、返答信号をＰＣに出力する。
【００２１】
表示装置１のセレクタ６は、ＣＰＵ７から出力された制御信号を受信すると、あらかじめ設定された接続部４を介して表示装置１ａにその制御信号を出力する。
次いで、表示装置１ａのセレクタは、表示装置１から出力された制御信号を受信すると、あらかじめ設定された接続部４を介して表示装置１ｂに制御信号を出力し、表示装置１ｂのセレクタは、受信した制御信号を表示装置１ｃに出力する。
また、表示装置１ｃは、制御信号を受信すると、返答信号を表示装置１ｂに出力し、表示装置１ｂは、その返答信号又は自身の返答信号を表示装置１ａに出力し、表示装置１ａは、それら受信した返答信号又は自身の返答信号を表示装置１に出力する。
表示装置１のＣＰＵ７は、それら返答信号を受信すると、シリアル入力端子を介してＰＣに出力する。
【００２２】
ここで、各表示装置１，１ａ，１ｂ，１ｃを上記のように設置すると、以下のようにしてそれぞれが電気的に接続される。
表示装置１と表示装置１ａとを、互いの短辺部を近接させた状態で、組み立て用架台に取り付ける。このとき、図５に示すように、高さ位置をある程度揃えた状態で、表示装置１の短辺部３ｂ２と表示装置１ａの短辺部３ｂ１とを近づけていくと、接続部４同士が互いに対向配置されていることから、それぞれの接続部４同士が近づけられていく。接続部４は、短辺部３ｂ１と短辺部３ｂ２とで突出部４ａが互いに反対方向に偏心されて設置されており、さらに、先端頂点部４ａ１が短辺部３ｂ１，３ｂ２からそれぞれ突出しているので、表示装置１，１ａをさらに近づけていくと、図６に示すように、先端頂点部４ａ１が、所定のタイミングで延在部４ｂの表面に当接する。
【００２３】
さらに、表示装置１，１ａを近づけて所定の位置に固定すると、突出部４ａが幅方向Ｗにさらに押し込まれ、弾性変形する。すなわち、突出部４ａは、先端頂点部４ａ１が延在部４ｂに当接された状態のまま、幅方向Ｗに押し潰され全体的に高さ方向Ｈに広がっていく。したがって、表示装置１，１ａの取り付け時に、幅方向Ｗにおける設置誤差が生じても、突出部４ａが弾性変形することにより、それら幅方向Ｗにおける距離寸法の誤差が吸収される。また、延在部４ｂが高さ方向Ｈに延びていることから、高さ方向Ｈにおける延在部４ｂの全長のいずれかに先端頂点部４ａ１が当接する。そのため、表示装置１，１ａの取り付け時に、高さ方向Ｈにおける設置誤差が生じても、それら高さ方向Ｈにおける誤差が吸収される。さらに、先端頂点部４ａ１及び延在部４ｂは、表示部２の奥行方向にも延びていることから、先端頂点部４ａ１と延在部４ｂとが奥行方向のいずれかで当接する。そのため、表示装置１，１ａの奥行方向における設置誤差が生じても、それら奥行き方向における誤差が吸収される。
また、図７及び図８に示すように、表示装置１，１ｃを設置するときも、突出部４ａが高さ方向Ｈに弾性変形したり、幅方向Ｗや奥行方向に調整されることにより、表示装置１，１ｃの設置誤差が吸収される。
【００２４】
以上より、本実施形態における表示装置１によれば、表示装置１，１ａ，１ｂ，１ｃを近接させて配置すると、突出部４ａと延在部４ｂとが当接するとともに、高さ方向Ｈ、幅方向Ｗ及び奥行方向の設置誤差が吸収されることから、複数の表示装置１，１ａ，１ｂ，１ｃを所定の位置に取り付けるだけで、ケーブルなどを利用することなく、それら複数の表示装置１，１ａ，１ｂ，１ｃを迅速かつ容易に接続、解除することができる。
また、接続部４が突出部４ａ及び延在部４ｂを備えており、突出部４ａが枠部３の長手方向の所定の方向に偏心して配置されていることから、表示装置１，１ａ，１ｂ，１ｃを確実に接続することができる。
さらに、接続部４が制御信号用と接地用とで対になっていることから、確実に表示装置１，１ａ，１ｂ，１ｃを電気的に接続することができる。
【００２５】
なお、上記実施形態においては、突出部４ａが延在部４ｂの長手方向に偏心されているとしたが、これに限ることはなく、延在部４ｂの短手方向（表示部２の奥行方向）に偏心されていてもよい。
なお、本発明の技術範囲は上記の実施形態に限定されるものではなく、本発明の趣旨を逸脱しない範囲において、種々の変更を加えることが可能である。
【図面の簡単な説明】
【００２６】
【図１】本発明に係る表示装置の実施形態を示す平面図である。
【図２】図１の表示装置の回路を簡易的に示すブロック図である。
【図３】図１の枠部の短辺部に設けられた接続部を拡大して示す説明図である。
【図４】図１の枠部の長辺部に設けられた接続部を拡大して示す説明図である。
【図５】表示装置を互いに幅方向に近接させていくときの接続部の様子を示す説明図である。
【図６】表示装置を互いに幅方向に近接させて設置したときの接続部の様子を示す説明図である。
【図７】表示装置を互いに高さ方向に近接させていくときの接続部の様子を示す説明図である。
【図８】表示装置を互いに高さ方向に近接させて設置したときの接続部の様子を示す説明図である。
【図９】複数の表示装置を接続した様子を示す説明図である。
【図１０】従来の表示装置を接続した様子を示す説明図である。
【符号の説明】
【００２７】
１，１ａ，１ｂ，１ｃ  表示装置
２    表示部
３    枠部
３ａ１，３ａ２  長辺部
３ｂ１，３ｂ２  短辺部
４    接続部
４ａ  突出部
４ｂ  延在部
４ａ１  先端頂点部（頂部）
【図１】
0005093489.tif 000002
【図２】
0005093489.tif 000003
【図３】
0005093489.tif 000004
【図４】
0005093489.tif 000005
【図５】
0005093489.tif 000006
【図６】
0005093489.tif 000007
【図７】
0005093489.tif 000008
【図８】
0005093489.tif 000009
【図９】
0005093489.tif 000010
【図１０】
0005093489.tif 000011